(57)【特許請求の範囲】
【請求項１】
電気機器ボックスの取付開口（６）に固定されるベース枠（１）と、ベース枠（１）の外面を覆う第１ルーバー体（２）と、第１ルーバー体（２）とベース枠（１）との間に配置される第２ルーバー体（３）および第３ルーバー体（４）とを備えており、
第１ルーバー体（２）の外面には、下向きに開口する第１ルーバー壁（２１）と仕切壁（２２）とが、交互に位置する状態で多段状に形成されており、第１ルーバー壁（２１）は縦断面が部分円弧状の打出壁で形成されており、
第２ルーバー体（３）および第３ルーバー体（４）には、それぞれ第１ルーバー壁（２１）に対応して第２ルーバー壁（３１）および第３ルーバー壁（４１）が多段状に形成されており、
第２ルーバー体（３）の第１ルーバー体（２）との対向面に、第１ルーバー壁（２１）の内面に向かって膨出される立体構造の第２ルーバー壁（３１）が多段状に形成されており、
第２ルーバー壁（３１）は、第１ルーバー壁（２１）へ向かって下り傾斜する排水壁（３３）と、排水壁（３３）の外端に連続して内向きに延びる変向壁（３４）とを含んで横臥Ｖ字状に形成されており、
第１ルーバー壁（２１）と排水壁（３３）との間には排水隙間（３６）が形成されており、
排水壁（３３）は、その外端が第１ルーバー体（２）の仕切壁（２２）よりも外方に位置する状態で下り傾斜されており、
第１ルーバー体（２）の入口（２４）から第３ルーバー体（４）の出口（２５）に至る間の換気通路（２３）における換気空気の流動線（Ｒ）が、第１ルーバー壁（２１）から上向きに吸い込まれた換気空気を下向きに変向案内する第１変向部（Ｃ１）と、換気空気を上向きに変向案内する第２変向部（Ｃ２）と、換気空気を内向きに変向案内する第３変向部（Ｃ３）とを含んで波形に形成してあることを特徴とする電気機器ボックスの換気装置。
【請求項２】
第３変向部（Ｃ３）を第１変向部（Ｃ１）および第２変向部（Ｃ２）より上方に位置させて、第２変向部（Ｃ２）と第３変向部（Ｃ３）との間に、換気空気を上向きに流動案内する縦通路部（５１）が形成されており、
縦通路部（５１）が、内外に対向する第２ルーバー壁（３１）の止水壁（３５）と第３ルーバー壁（４１）とで形成してある請求項１に記載の電気機器ボックスの換気装置。
【請求項３】
第２ルーバー壁（３１）は、第１ルーバー壁（２１）へ向かって下り傾斜する排水壁（３３）と、排水壁（３３）の外端に連続して内向きに延びる変向壁（３４）と、変向壁（３４）の内端に連続して下向きに延びる止水壁（３５）とで構成されており、
第３ルーバー体（４）を排水壁（３３）の内側に配置して、第３ルーバー壁（４１）が排水壁（３３）の内端に連続して上向きに連出されている請求項２に記載の電気機器ボックスの換気装置。
【請求項４】
第２ルーバー壁（３１）は、第１ルーバー壁（２１）へ向かって下り傾斜する排水壁（３３）と、排水壁（３３）の外端に連続して内向きに延びる変向壁（３４）と、排水壁（３３）の内端に連続して上向きに連出される止水壁（３５）とで構成されており、
第３ルーバー体（４）を変向壁（３４）の内側に配置して、第３ルーバー壁（４１）が変向壁（３４）の内端に連続して下向きに連出されている請求項２に記載の電気機器ボックスの換気装置。
【請求項５】
換気通路（２３）の出口（２５）を、排水壁（３３）と変向壁（３４）とで形成される横臥Ｖ字状の空間に正対させて、換気通路（２３）の断面積が出口（２５）の近傍において急増させてある請求項３または４に記載の電気機器ボックスの換気装置。
【請求項６】
第２ルーバー壁（３１）の排水壁（３３）が、その左右幅方向の中途部から両側端へ向かって下り傾斜させてある請求項２から５のいずれかひとつに記載の電気機器ボックスの換気装置。
【請求項７】
前記排水壁（３３）の外端に、前記排水隙間（３６）の隙間寸法（Ｅ）を一定にする調整壁（３７）が外向きに張出してある請求項１乃至６のいずれかひとつに記載の電気機器ボックスの換気装置。
【請求項８】
第１ルーバー体（２）と第２ルーバー体（３）の対向面のいずれか一方に、対向相手に接当して両ルーバー体（２・３）の対向隙間を一定にする規制突起（３８）が形成してある請求項２から７のいずれかひとつに記載の電気機器ボックスの換気装置。
【請求項９】
ベース枠（１）が、取付開口（６）に外面側から差込み装着されるフィルター凹部（９）と、フィルター凹部（９）の周縁に張り出されるフランジ部（１０）とを一体に備えており、
第２ルーバー体（３）および第３ルーバー体（４）とフィルター凹部（９）との間にろ過体（５）が配置されており、
第２ルーバー体（３）および第３ルーバー体（４）とろ過体（５）とが、フィルター凹部（９）と第１ルーバー体（２）とで挟み保持されており、
第１ルーバー体（２）がベース枠（１）に対して固定構造を介して着脱可能に固定してある請求項２から８のいずれかひとつに記載の電気機器ボックスの換気装置。
【請求項１０】
固定構造が、第１ルーバー体（２）とベース枠（１）のいずれか一方に設けられる係止フック（１５）、および他方に設けられる係止片（２７）と、第１ルーバー体（２）とベース枠（１）の間に設けられる雄ねじ体（５０）および雌ねじ体（１６）とで構成してある請求項９に記載の電気機器ボックスの換気装置。
【発明の詳細な説明】
【技術分野】
【０００１】
本発明は、主として屋外に配置される分電盤や配電盤などの電気機器ボックスに適用される換気装置、なかでも暴風雨時にも雨水の浸入を防止しながら電気機器ボックス内の換気を確実に行える防噴流型の換気装置に関する。
【背景技術】
【０００２】
この種の換気装置は、例えば本出願人の提案に係る特許文献１に公知である。そこでは、外ルーバー体および内ルーバー体と導風箱を止水要素にして換気装置を構成している。内外の両ルーバー体は、それぞれのルーバー壁が互いに逆向きに傾斜する状態で形成してあり、両ルーバー体の間に逆Ｖ字状の換気通路が形成されている。
【０００３】
同様に、換気通路を逆Ｕ字状に構成した換気装置は特許文献２に開示されている。そこでは、ルーバー取付本体と、同本体を換気窓穴に締結するリング状の締付部材と、ルーバー取付本体に対して取付ねじで締結されるルーバーカバーと、フィルターなどでルーバー装置（換気装置）を構成している。ルーバーカバーは、ルーバー取付本体に内嵌されるサブルーバーカバーと、その外面を覆う外側ルーバーカバーとで構成してある。これらのルーバーカバーには、それぞれ下向きに開口するルーバー壁が背中合わせ状に形成してあり、内外のルーバー壁によって逆Ｕ字状の換気通路を構成している。フィルターは、サブルーバーカバーの内面側に隣接する状態で配置してある。
【先行技術文献】
【特許文献】
【０００４】
【特許文献１】特開２００２−０１０４１６号公報（請求項１、図１）
【特許文献２】特開２００６−３２９５２２号公報（段落番号０００８〜００１０、図１）
【発明の概要】
【発明が解決しようとする課題】
【０００５】
特許文献１の防噴流型の換気装置は、外ルーバー体および内ルーバー体と、電気機器ボックスの内部に突出する導風箱を水切り要素にして換気装置を構成するので、雨水が導風箱内に到達したとしても、電気機器ボックスの内部に進入するのを確実に防止できる。しかし、導風箱の分だけ換気装置の外形が大きくなるのを避けられない。また、導風箱が占める空間を電気機器ボックスの内面に確保する必要があり、導風箱の周辺部にデッドスペースが生じやすい。さらに、外ルーバー体、内ルーバー体、および導風箱の固定を電気機器ボックスの内面側から行うので、換気装置の点検あるいは保守を行う場合に感電防止対策を行う必要があり、一連の点検作業あるいは保守作業が煩わしいものとなる。
【０００６】
その点、特許文献２の換気装置は、ルーバー取付本体と、同本体の外面に固定されるルーバーカバーと、フィルターなどでルーバー装置を構成するので、特許文献１の換気装置に比べてルーバー装置を小形化し薄形化できる。また、電気機器ボックスの外面側からルーバーカバーを取外してフィルターを交換できるので、点検あるいは保守作業を簡便かつ安全に行える。
【０００７】
しかし、外側ルーバーカバー、サブルーバーカバー、フィルターの三者を、内外に密着する状態で配置するので、逆Ｕ字状の換気通路に雨水が浸入する暴風雨時等には、雨水をフィルターで止水するしかなく、そのため、フィルターが大量の雨水を含浸した状態になる。このように雨水を含浸した状態のフィルターは、通気隙間が雨水で塞がれて空気の通りが極端に悪くなるため、電気機器ボックス内の換気を充分に行えなくなる。さらに、ルーバー取付本体の内面に換気ファンが設けてある場合には、フィルターに含まれた雨水が空気とともに電気機器ボックス内へ送給されるため、電気機器ボックス内で短絡事故を生じる危険性がある。こうした状況を避ける必要上、ルーバー装置の外面全体をフードで覆って雨水が換気通路に浸入するのを防止している。そのため、換気装置の全体コストが嵩むのを避けられない。
【０００８】
本発明の目的は、全体装置の小形化を実現しながら、より高度の止水作用を発揮して電気機器ボックス内部への雨水の浸入を確実に防止でき、とくに暴風雨等の際にも電気機器ボックス内の換気を的確に行える電気機器ボックスの換気装置を提供することにある。
【課題を解決するための手段】
【０００９】
本発明に係る換気装置は、電気機器ボックスの取付開口６に固定されるベース枠１と、ベース枠１の外面を覆う第１ルーバー体２と、第１ルーバー体２とベース枠１との間に配置される第２ルーバー体３および第３ルーバー体４とを備えている。第１ルーバー体２の外面には、下向きに開口する第１ルーバー壁２１と仕切壁２２とが、交互に位置する状態で多段状に形成してある。第１ルーバー壁２１は縦断面が部分円弧状の打出壁で形成されている。第２ルーバー体３および第３ルーバー体４には、それぞれ第１ルーバー壁２１に対応して第２ルーバー壁３１および第３ルーバー壁４１が多段状に形成してある。第２ルーバー体３の第１ルーバー体２との対向面に、第１ルーバー壁２１の内面に向かって膨出される立体構造の第２ルーバー壁３１が多段状に形成されている。第２ルーバー壁３１は、第１ルーバー壁２１へ向かって下り傾斜する排水壁３３と、排水壁３３の外端に連続して内向きに延びる変向壁３４とを含んで横臥Ｖ字状に形成されている。第１ルーバー壁２１と排水壁３３との間には排水隙間３６が形成されており、排水壁３３は、その外端が第１ルーバー体２の仕切壁２２よりも外方に位置する状態で下り傾斜されている。第１ルーバー体２の入口２４から第３ルーバー体４の出口２５に至る間の換気通路２３における換気空気の流動線Ｒを、図１に示すように形成する。具体的には、第１ルーバー壁２１から上向きに吸い込まれた換気空気を下向きに変向案内する第１変向部Ｃ１と、換気空気を上向きに変向案内する第２変向部Ｃ２と、換気空気を内向きに変向案内する第３変向部Ｃ３とを含んで、換気空気の流動線Ｒを波形に形成する。
【００１０】
第３変向部Ｃ３を、第１変向部Ｃ１および第２変向部Ｃ２より上方に位置させて、第２変向部Ｃ２と第３変向部Ｃ３との間に、換気空気を上向きに流動案内する縦通路部５１を形成する。縦通路部５１は、内外に対向する第２ルーバー壁３１の止水壁３５と第３ルーバー壁４１とで形成する。
【００１１】
第２ルーバー壁３１は、第１ルーバー壁２１へ向かって下り傾斜する排水壁３３と、排水壁３３の外端に連続して内向きに延びる変向壁３４と、変向壁３４の内端に連続して下向きに延びる止水壁３５とで構成する。第３ルーバー体４を排水壁３３の内側に配置して、第３ルーバー壁４１を排水壁３３の内端に連続して上向きに連出させる。
【００１２】
第２ルーバー壁３１は、第１ルーバー壁２１へ向かって下り傾斜する排水壁３３と、排水壁３３の外端に連続して内向きに延びる変向壁３４と、排水壁３３の内端に連続して上向きに連出される止水壁３５とで構成する。図８に示すように、第３ルーバー体４を変向壁３４の内側に配置して、第３ルーバー壁４１を変向壁３４の内端に連続して下向きに連出させる。
【００１３】
換気通路２３の出口２５を、排水壁３３と変向壁３４とで形成される横臥Ｖ字状の空間に正対させて、換気通路２３の断面積を出口２５の近傍において急増させる。
【００１４】
図５に示すように、第２ルーバー壁３１の排水壁３３を、その左右幅方向の中途部から両側端へ向かって下り傾斜させる。
【００１５】
図１および図６に示すように、排水壁３３の外端に、排水隙間３６の隙間寸法Ｅを一定にする調整壁３７を外向きに張出す。
【００１６】
第１ルーバー体２と第２ルーバー体３の対向面のいずれか一方に、対向相手に接当して両ルーバー体２・３の対向隙間を一定にする規制突起３８を形成する。
【００１７】
ベース枠１は、取付開口６に外面側から差込み装着されるフィルター凹部９と、フィルター凹部９の周縁に張り出されるフランジ部１０とを一体に備えている。第２ルーバー体３および第３ルーバー体４とフィルター凹部９との間にろ過体５を配置する。第２ルーバー体３および第３ルーバー体４とろ過体５とは、フィルター凹部９と第１ルーバー体２とで挟み保持する。第１ルーバー体２はベース枠１に対して固定構造を介して着脱可能に固定する。
【００１８】
図３に示すように、固定構造は、第１ルーバー体２とベース枠１のいずれか一方に設けられる係止フック１５、および他方に設けられる係止片２７と、第１ルーバー体２とベース枠１の間に設けられる雄ねじ体５０および雌ねじ体１６とで構成する。
【発明の効果】
【００１９】
本発明においては、取付開口６に固定したベース枠１の外面を、第１〜第３の各ルーバー体２・３・４で覆い、迷路状の換気通路２３で止水するようにした。具体的には、換気通路２３における換気空気の流動線Ｒが、換気空気を下向きに変向案内する第１変向部Ｃ１と、換気空気を上向きに変向案内する第２変向部Ｃ２と、換気空気を内向きに変向案内する第３変向部Ｃ３とを含んで波形に形成されるようにした。
【００２０】
上記のように、換気空気の流動線Ｒを波形に構成した本発明の換気通路２３においては、雨風が各変向部Ｃ１・Ｃ２・Ｃ３を通過する毎に雨滴を換気空気から分離できる。これは、空気に比べて質量の大きな雨滴は、換気空気の向きの変化に追随できないため、自身の運動慣性力で直進するからである。また、第１、第２の変向部Ｃ１・Ｃ２において空気の流動する向きが逆向きになることで、吹き込んだ風の勢いが大きく削がれるため、雨滴が換気空気で第３変向部Ｃ３まで運ばれるのを阻止できるからである。従って、本発明の換気装置によれば、導風箱を止水要素に含む従来の換気装置に比べて、装置全体の小形化を実現しながら、より高度の止水作用を発揮して、雨水が電気機器ボックス内部への浸入を確実に防止できる。とくに、暴風雨等の際であっても、雨水が電気機器ボックスへ浸入するのを防止して、ボックス内の換気を的確に行うことができる。
【００２１】
第２変向部Ｃ２と第３変向部Ｃ３との間に、換気空気を上向きに流動案内する縦通路部５１を形成すると、第２変向部Ｃ２を通過した雨滴が換気空気で第３変向部Ｃ３へ運ばれるのを妨げることができる。これは、雨滴が出口２５に達するには、重力に逆らって縦通路部５１を上向きに流動せざるを得ず、自身の重量が流動の妨げになるからである。また、換気空気は、第１、第２の各変向部Ｃ１・Ｃ２を通過する間に強制的に逆向きに流動案内されて、その勢いが大きく削がれている。そのため、縦通路部５１における雨滴は、自重で落下して換気空気から分離されるので、電気機器ボックス内への雨滴の浸入をさらに確実に防止できる。また、内外に対向する第２ルーバー壁３１の止水壁３５と第３ルーバー壁４１を利用して縦通路部５１を形成するので、構造に無駄がなく、その分だけ換気装置のコストを削減できる。
【００２２】
排水壁３３、変向壁３４、止水壁３５で第２ルーバー壁３１を構成し、第３ルーバー体４の第３ルーバー壁４１を排水壁３３に連続して上向きに連出させるルーバー構造によれば、立体構造の第２ルーバー体３、および第３ルーバー体４を成形するための金型の構造を簡素化して、各ルーバー体３・４の成形を容易化できる。また、排水壁３３の内側に位置する状態で第３ルーバー体４を第２ルーバー体３に組付けるので、第３ルーバー体４を平板状の簡素な構造としながら、各ルーバー体３・４のルーバー壁３１・４１どうしを互いに補強しあうことができる。
【００２３】
排水壁３３、変向壁３４、止水壁３５で第２ルーバー壁３１を構成し、第３ルーバー体４の第３ルーバー壁４１を変向壁３４に連続して下向きに連出させるルーバー構造によれば、立体構造の第２ルーバー体３、および第３ルーバー体４を成形するための金型の構造を簡素化して、各ルーバー体３・４の成形を容易化できる。また、変向壁３４の内側に位置する状態で第３ルーバー体４を第２ルーバー体３に組付けるので、第３ルーバー体４の組付け状態を目視し確認しながら、第２ルーバー体３をベース枠１に組付けることができ、従って、第３ルーバー体４の組立不良をよく防止できる。
【００２４】
排水壁３３と変向壁３４とで形成される横臥Ｖ字状の空間に換気通路２３の出口２５を正対させると、換気通路２３の断面積を出口２５の近傍において急増することができる。また、断面積が増加するのに伴って、出口２５に流入しようとする換気空気の流速を大きく低下させて緩やかな流にすることができる。そのため、雨滴が換気空気とともに第２変向部Ｃ２を通過したとしても、出口２５の近傍において、雨滴が換気空気に運ばれて第３変向部Ｃ３に沿って変向案内されるのを阻止することができ、電気機器ボックス内への雨滴の浸入をさらに確実に防止できる。
【００２５】
第２ルーバー壁３１の排水壁３３を、左右幅方向の中途部から両側端へ向かって下り傾斜させると、換気空気から分離された雨滴の一部を、雨風の吹込みの影響が殆ど無い、排水壁３３の両側から流下させて排水することができる。そのため、排水壁３３の両側へ向かって流動する雨滴が、入口２４から吹込む風で再び換気通路２３に吹戻されるのを防止して、確実に排水することができる。
【００２６】
第１ルーバー壁２１と排水壁３３との間に排水隙間３６を形成し、排水壁３３の外端に調整壁３７を外向きに張出すと、排水隙間３６の左右方向における隙間寸法Ｅを一定にして、排水隙間３６の左右方向における通風抵抗を均一化できる。これにより、入口２４から吹込んだ雨風が、排水隙間３６の左右両端から上の段の排水壁３３の側へ吹抜けるのを阻止して、排水隙間３６に達した水滴を効果的に落下させて排水できる。
【００２７】
第１ルーバー体２と第２ルーバー体３の対向面のいずれか一方に規制突起３８を形成すると、組立状態における両ルーバー体２・３の対向間隔を規制突起３８で一定に規定でき、加えて、排水隙間３６の隙間寸法Ｅを一定にできる。従って、多段状に設けた第１〜第３の各ルーバー壁２１・３１・４１で区画される換気通路２３の構造を均一にして、全ての換気通路２３において止水作用をばらつき無く確実に発揮させることができ、換気装置の止水性能を向上できる。
【００２８】
第２ルーバー体３と、第３ルーバー体４と、ろ過体５の三者を、フィルター凹部９と第１ルーバー体２とで挟み保持し、第１ルーバー体２をベース枠１に固定構造を介して着脱可能に固定すると、ろ過体５の交換を電気機器ボックスの外面側から安全に行える。また、各ルーバー体２・３・４の点検あるいは保守作業を、電気機器ボックスの外面側から簡便にしかも安全に行える。
【００２９】
係止フック１５および係止片２７と、雄ねじ体５０および雌ねじ体１６とで固定構造を構成すると、係止フック１５と係止片２７が係合するように第１ルーバー体２をベース枠１に組むことで、第１ルーバー体２を仮組み状態に保持できる。従って、雄ねじ体５０と雌ねじ体１６を締結する際に、第１ルーバー体２がベース枠１に対してずれ動き、あるいはベース枠１から脱落するのを防止して、両ねじ体１６・５０の締結作業を簡便に、しかも的確に行なうことができる。
【図面の簡単な説明】
【００３０】
【図１】本発明に係る換気装置の要部の縦断側面図である。
【図２】本発明に係る換気装置の分解斜視図である。
【図３】換気装置の分解断面図である。
【図４】換気装置の縦断側面図である。
【図５】第２ルーバー体の正面図である。
【図６】図５におけるＡ−Ａ線断面図である。
【図７】図５におけるＢ−Ｂ線断面図である。
【図８】本発明に係る換気装置の別の実施例を示す要部の縦断側面図である。
【図９】本発明に係る換気装置のさらに別の実施例を示す要部の縦断側面図である。
【発明を実施するための形態】
【００３１】
（実施例）  図１ないし図７は、本発明に係る換気装置の実施例を示す。図２および図３において換気装置は、ベース枠１と、ベース枠１の外面を覆う第１ルーバー体２と、ベース枠１と第１ルーバー体２との間に配置される第２ルーバー体３および第３ルーバー体４と、フィルター（ろ過体）５などで構成する。これらの部材を装着するために、電気機器ボックスの周壁に正方形状の取付開口６が形成され、その周縁壁に合計８個のボルト挿通穴７が等間隔おきに形成してある。
【００３２】
図２においてベース枠１は、取付開口６に外面側から差込み装着される正方形状のフィルター凹部９と、フィルター凹部９の外端周縁に張り出されるフランジ部１０とを一体に備えたステンレス板材製のプレス成形品からなる。フィルター凹部９の内底には通気窓１１が開口され、同窓１１の内部がフィルター５を受止める細い受枠１２で５個の領域に区分してある。受枠１２は中央の菱形枠と、菱形枠の各隅に連続する縦枠および横枠とからなる。
【００３３】
通気窓１１の４隅には、オプション部品であるファンユニットＦ（図３参照）を締結するためのねじ穴１３が形成してある。フランジ部１０の内面には、先のボルト挿通穴７に対応して８個のボルト１４が溶接してある。また、フランジ部１０の左右側縁の上部には、縦長の係止フック１５が折り曲げ形成してあり、フランジ部１０の下縁の左右中央には雌ねじ体１６が上向きに折り曲げ形成してある。雌ねじ体１６の壁面の中央には、バーリング加工を施してボス１６ａが形成され、このボス１６ａにねじ穴１６ｂが形成してある。
【００３４】
第１ルーバー体２は、正方形状の主面壁１９と、主面壁１９の周縁に連続する周囲壁２０とを一体に備えた、角皿状のステンレス板材製のプレス成形品からなる。主面壁１９には、下向きに開口する第１ルーバー壁２１と仕切壁２２とが、交互に位置する状態で多段状に形成してある。第１ルーバー壁２１は、縦断面が部分円弧状の打出壁で形成されており、その下開口が換気通路２３の入口２４となる。換気通路２３の出口２５は第３ルーバー体４に形成してある。主面壁１９の下部の左右中央には、先の雌ねじ体１６に対応してビス挿通穴２６が形成してあり、周囲壁２０のうち左右壁の上部の内縁には、先の係止フック１５に対応する係止片２７が横向きに折曲げてある。周囲壁２０の下壁には左右に長い排水口２８が切欠き形成してある（図４、図７参照）。
【００３５】
第２ルーバー体３は、第１ルーバー体２よりひとまわり小さな正方形状のプラスチック成形品からなり、そのベース壁３０の第１ルーバー体２との対向面に、立体構造の第２ルーバー壁３１が多段状に形成してある。第２ルーバー壁３１は、各第１ルーバー壁２１に対応して同数個設けられており、上下に隣接する第２ルーバー壁３１どうしが、左右中央と、両側端に設けた３個の補強枠３２で連結し補強してある。これらの補強枠３２は、第３ルーバー体４を支持する装着枠を兼ねている。
【００３６】
第２ルーバー壁３１は、第１ルーバー壁２１へ向かって下り傾斜する排水壁３３と、排水壁３３の外端に連続して内向きに延びる変向壁３４と、変向壁３４の内端に連続して下向きに延びる止水壁３５とで横臥Ｖ字状に形成してある。図１に示すように止水壁３５がベース壁３０と面一状に形成してあるのに対し、排水壁３３はベース壁３０と交差する状態で形成されていて、その外端がベース壁３０より外方に位置し、その内端がベース壁３０より内方に位置する状態で傾斜している。
【００３７】
排水壁３３で受止められた雨水を、第２ルーバー壁３１の左右両端へ向かって流下させるために、排水壁３３は左右幅方向の中央から左右両端へ向かって下り傾斜させてある（図５参照）。このように、排水壁３３を傾斜させると、第１ルーバー壁２１が断面円弧状に形成してあるため、排水壁３３と第１ルーバー壁２１との間の排水隙間３６の隙間寸法Ｅ（図１、図６参照）が、第２ルーバー壁３１の左右両端に近づくほど大きくなってしまう。こうした隙間寸法Ｅの変化を防ぐために、排水壁３３の外端に調整壁３７が外向きに張出してある。図６に示すように、調整壁３７の張り出し量は、排水壁３３の中央から左右両端へ近づくほど大きく設定してある。
【００３８】
第２ルーバー体３のベース壁３０の周縁外面の７個所には規制突起３８が形成してある。これらの規制突起３８を、第１ルーバー体２の主面壁１９の内面に接当させることにより、両ルーバー体２・３の対向隙間を一定にすることができる。ベース壁３０の外面の下部中央には係合部３９が膨出されて、係合部３９の左右中央にボス１６ａと係合する位置決め溝３９ａが形成してある。係合部３９は、第２ルーバー体３を第１ルーバー体２に組付ける際に、ベース枠１の雌ねじ体１６とフランジ部１０との間に差込み係合される。
【００３９】
第３ルーバー体４は、第２ルーバー体３よりひとまわり小さな正方形状のプラスチック成形品からなり、周囲枠４０の内部に、第２ルーバー壁３１と同数の第３ルーバー壁４１が多段状に形成してある。各第３ルーバー壁４１は垂直の板壁からなり、排水壁３３と同様に左右幅方向の中央から左右両端へ向かって下り傾斜させてある。また、上下に隣接する第３ルーバー壁４１どうしが、左右中央に設けた補強枠４２で連結してある。
【００４０】
補強枠４２で分断された第３ルーバー壁４１の左半部および右半部の下縁には、それぞれ四角形状の係止凹部４３が形成してある。これらの係止凹部４３を、排水壁３３の左半部および右半部の上縁に突設した、四角形状の係止片４４に掛止することにより、第３ルーバー体４を第２ルーバー体３と一体化できる。この状態の第３ルーバー体４は、第２ルーバー体３の内面側に配置されて、第３ルーバー壁４１が排水壁３３の内端に連続して上向きに連出する状態となる。上下に隣接する第３ルーバー壁４１の間の空間が換気通路２３の出口２５となる。
【００４１】
フィルター５は、通気可能な連続気泡性の発泡プラスチック体からなり、その外形がベース枠１のフィルター凹部９と同じ大きさの四角形状に形成してある。フィルター５の厚み寸法はフィルター凹部９の凹み深さの半分以下に設定してある。そのため、第２ルーバー体３と第３ルーバー体４をベース枠１に組付けた状態においては、図４に示すように、第２ルーバー壁３１の内半部と第３ルーバー体４とがフィルター凹部９内に入り込んだ状態でフィルター５に密着する。
【００４２】
換気装置は以下の手順で取付開口６に組付ける。まず、ベース枠１のフィルター凹部９を取付開口６に差込みながら、同時にボルト１４をボルト挿通穴７に挿通し、各ボルト１４に平座金を挿通したのちナット４７をねじ込み、ベース枠１を取付開口６の周縁壁に固定する。このときのナット４７の締結作業は、電気機器ボックスの内部から行う必要がある。次に、フィルター５をフィルター凹部９に装着し、さらに第３ルーバー体４が一体化された第２ルーバー体３をベース枠１に組付ける。詳しくは、係合部３９をベース枠１の雌ねじ体１６とフランジ部１０との間に嵌込み、位置決め溝３９ａがボス１６ａと係合する状態で、第２ルーバー体３のベース壁３０をフランジ部１０に接合する。このように、第２ルーバー体３をベース枠１に組付けた状態では、係合部３９が雌ねじ体１６で受止められるので、第２ルーバー体３が外倒れ状に傾動してベース枠１から分離するのを防止でき、従って、第２ルーバー体３の仮組み状態を維持できる。
【００４３】
上記の組付け状態においては、第２ルーバー体３の左右の上隅に設けた規制突起３８の外側面が、ベース枠１の上隅に設けた係止フック１５で位置決めされ（図５参照）、同時に、位置決め溝３９ａがボス１６ａで位置決めされている。さらに、第２ルーバー体３の係合部３９の下面が、ベース枠１の雌ねじ体１６に連続する受壁４８で支持されている。つまり、第２ルーバー体３の全体は、左右方向と上下方向とに位置決めされた状態になっている。また、フィルター凹部９に入り込んだ第２ルーバー壁３１の内半部および第３ルーバー体４が、受枠１２と協同してフィルター５を内外に挟み保持している。この状態における換気通路２３の出口２５は、排水壁３３と変向壁３４で形成される横臥Ｖ字状の空間と正対している。このことは、換気通路２３の断面積が出口２５の近傍において急増することを意味しており、従って、出口２５に流入する換気空気の流速を低下させて、出口２５に浸入しようとする雨滴を効果的に分離できる。
【００４４】
次に、第１ルーバー体２を第２ルーバー体３の外面に被せ付けて、その係止片２７をベース枠１の係止フック１５に係合させながら、周囲壁２０を取付開口６の周縁壁に接合する。最後に、ビス（雄ねじ体）５０をビス挿通穴２６を介して雌ねじ体１６にねじ込むことにより、第１ルーバー体２をベース枠１に固定できる。この締結状態において、第２ルーバー体３の規制突起３８が、第１ルーバー体２の主面壁１９の内面に接当して、両ルーバー体２・３の対向間隔を一定にしている。これにより、全ての排水隙間３６における隙間寸法Ｅを一定にすることができる。
【００４５】
図１に示すように、各ルーバー体２・３・４をベース枠１に固定することにより、第１ルーバー体２の入口２４から第３ルーバー体４の出口２５に至る間に間に換気通路２３が形成される。換気通路２３における換気空気の流動線Ｒは、仕切壁２２を迂回して換気空気を下向きに変向案内する第１変向部Ｃ１と、止水壁３５を迂回して換気空気を上向きに変向案内する第２変向部Ｃ２と、第３ルーバー壁４１を迂回して換気空気を内向きに変向案内する第３変向部Ｃ３とを含んで波形に形成される。また、第３変向部Ｃ３を、第１変向部Ｃ１および第２変向部Ｃ２より上方に位置させて、第２変向部Ｃ２と第３変向部Ｃ３との間に、換気空気を上向きに流動案内する縦通路部５１を設けている。縦通路部５１は、内外に対向する第２ルーバー壁３１の止水壁３５と第３ルーバー壁４１との間に直線状に形成される。なお、図１に示す流動線Ｒは、本発明の理解を助けるために単純化して表現したものであって、換気空気が図示した流動線Ｒの通りに流動することを意味するものではない。
【００４６】
上記のように構成した換気通路２３においては、入口２４から斜め上向きに吹き込んだ雨風は、概ね連続波形の流動線Ｒに沿って移動することになる。しかし、空気に比べて質量の大きな雨滴は、換気空気の向きの変化に追随できずに、自身の運動慣性力で直進しようとする。そのため、雨滴は第１変向部Ｃ１において変向壁３４および止水壁３５に衝突して空気から分離される。また、第１変向部Ｃ１を通過した雨滴は、第２変向部Ｃ２において排水壁３３および第３ルーバー壁４１に衝突して空気から分離される。さらに、各変向部Ｃ１・Ｃ２において空気の流動する向きが逆向きにされることで、吹き込んだ風の勢いが大きく削がれる。そのため、雨滴の殆どは、第１変向部Ｃ１と第２変向部Ｃ２を通過する間に換気空気から分離される。
【００４７】
一部の雨滴が第２変向部Ｃ２を通過する可能性が無い訳ではない。しかし、雨滴は重力に逆らって縦通路部５１を上向きに流動する以外にない。しかも、第１変向部Ｃ１と第２変向部Ｃ２を通過する間に勢いが削がれた換気空気の流速は、換気通路２３の断面積の増加で出口２５の近傍においてさらに低下する。そのため、雨滴が換気空気に僅かに含まれていたとしても、雨滴は自重で落下して排水壁３３に沿って流下する。
【００４８】
排水壁３３の上面に沿って流下する水滴は、基本的に排水壁３３の下り傾斜に沿って排水隙間３６へ向かって流動するが、同時に、排水壁３３の両側端の側へも流動して、排水隙間３６から下段側の第１ルーバー壁２１の外面に落下して排水される。また、排水壁３３の両側端に達した水滴は、ベース壁３０に沿って第１ルーバー体２の内底部まで一気に流下して、周囲壁２０に設けた排水口２８から排出される。このとき、排水壁３３の外端に調整壁３７を設けて、排水隙間３６における隙間寸法Ｅを左右方向で一定にするので、排水隙間３６の左右方向における通風抵抗を均一にすることができる。これにより、入口２４から吹込んだ雨風が排水隙間３６から上の段の排水壁３３の側へ吹抜けるのを阻止して、排水隙間３６に達した水滴を効果的に落下させ排水できる。
【００４９】
以上のように構成した換気装置によれば、従来の換気装置に比べてより高度の止水作用を発揮して、電気機器ボックス内部への雨水の浸入を確実に防止できる。また、暴風雨等の際にも雨水がフィルター５に含浸されるのを確実に防止して、電気機器ボックス内の換気を的確に行うことができる。本発明者は、換気装置の止水作用を確認するために、ＪＩＳＣ０９２０で規定された試験法によって放水試験を行った。放水試験の後、第１〜第３の各ルーバー体２〜４を分解してフィルター５を点検したが、水滴は付着しておらず、防噴流型の換気装置に求められる止水機能を充分に発揮できたことを確認している。
【００５０】
図８は換気装置の別の実施例を示す。この実施例においては、第１ルーバー壁２１へ向かって下り傾斜する排水壁３３と、排水壁３３の外端に連続して内向きに延びる変向壁３４と、排水壁３３の内端に連続して上向きに延びる止水壁３５とで第２ルーバー壁３１を構成した。また、第３ルーバー体４を変向壁３４の内側に配置して、第３ルーバー壁４１が変向壁３４の内端に連続して下向きに連出されるようにした。そのために、第３ルーバー壁４１の上縁に係止片５３を設け、変向壁３４の内端の上面に係止凹部５４を設けて、係止片５３を係止凹部５４に係合させることにより、第３ルーバー体４を第２ルーバー体３と一体化できるようにした。他は先の実施例と同じであるので、同じ部材に同じ符号を付してその説明を省略する。以下の実施例においても同じとする。
【００５１】
図９は第３ルーバー体４の別の実施例を示す。そこでは第３ルーバー壁４１の上縁に外向きの止水リブ５５を設けた。このように、第３ルーバー壁４１に外向きの止水リブ５５を設けると、第３ルーバー壁４１に付着した雨水が風で押し上げられて、第３ルーバー壁４１の上縁を乗り越えるのを阻止して、雨水がフィルター５に含浸されるのをさらに確実に防止できる。なお、止水リブ５５は、図８で説明した換気装置にも適用することができ、要は、第３変向部Ｃ３に臨む第３ルーバー壁４１の上端、または第３変向部Ｃ３に臨む止水壁３５の上端に、止水リブ５５が外向きに突出してあればよい。
【００５２】
上記の実施例以外に、規制突起３８は第１ルーバー体２の側に設けることができる。排水壁３３は、左右幅方向の中央から両側端へ向かって下り傾斜させる必要はなく、左右幅方向の中途部から両側端へ向かって下り傾斜させることができる。ろ過体５は、昆虫の侵入を防ぐ網体であってもよい。第３ルーバー壁４１は、第２ルーバー体３と一体に形成することができる。第２ルーバー体３、および第３ルーバー体４はプラスチック成形品で構成する必要はなく、プレス成形品で形成して耐火性を付与することができる。
【符号の説明】
【００５３】
１  ベース枠
２  第１ルーバー体
３  第２ルーバー体
４  第３ルーバー体
５  フィルター（ろ過体）
６  取付開口
２１  第１ルーバー壁
２３  換気通路
２４  入口
２５  出口
３１  第２ルーバー壁
３３  排水壁
３４  変向壁
３５  止水壁
３６  排水隙間
４１  第３ルーバー壁
Ｒ  換気空気の流動線
Ｃ１  第１変向部
Ｃ２  第２変向部
Ｃ３  第３変向部
５１  縦通路部
【図１】
0006030327.tif 000002
【図２】
0006030327.tif 000003
【図３】
0006030327.tif 000004
【図４】
0006030327.tif 000005
【図５】
0006030327.tif 000006
【図６】
0006030327.tif 000007
【図７】
0006030327.tif 000008
【図８】
0006030327.tif 000009
【図９】
0006030327.tif 000010